(57)【要約】【課題】ユーザに窮屈感を与えることなく、洗い場の上方空間を活用して、衣類等の乾燥効率を向上させる。【解決手段】システムバスＳは、浴室暖房・乾燥機能を備えたシステムバスであって、浴室１、浴室乾燥機２、被服ハンガーを吊持させるためのハンガーパイプ３、３つの手摺り４１、４２、４３及びフック５を含む。手摺り４１、４２、４３は着脱自在とされ、システムバスが乾燥用として用いられる場合に取り外されて、追加ハンガーパイプとして活用される。この場合、手摺り４１、４２、４３で追加ハンガーパイプの組立体が形成され、この組立体が、浴室１の天井面１４に設けられたフック５によって支持される。これにより、洗い場の床面１２の上部空間に、被服ハンガーが吊持可能となる。【選択図】図３
2012026634.tif 000002
【特許請求の範囲】
【請求項１】
浴槽と、洗い場として使用される床面と、前記浴槽及び前記床面の周囲を囲む側壁面と、前記側壁面で囲まれた空間の上部を覆う天井面とを備える浴室と、
前記天井面に設けられた開口から温風を前記浴室内に吹き出す浴室乾燥機と、
前記浴室の上部であって前記開口の近傍の第１乾燥位置に固定的に配置され、被服ハンガーを支持可能なハンガーパイプと、
前記第１乾燥位置とは異なる第２乾燥位置において着脱自在に配置され、被服ハンガーを支持する第１機能と、該第１機能以外の第２機能とのために用いられる着脱部材と、
前記着脱部材を前記第２乾燥位置に着脱自在に配置するために、前記側壁面若しくは前記天井面に設けられる第１保持手段と、
前記着脱部材を前記第２機能のために適した位置に着脱自在に配置するために、前記浴室のいずれかの箇所に設けられる第２保持手段と、
を備えることを特徴とするシステムバス。
【請求項２】
前記天井面の開口は前記浴槽の上方位置に設けられ、前記第１乾燥位置は前記浴槽の上部空間であり、前記第２乾燥位置は前記床面の上部空間であって、
前記浴室乾燥機は、前記床面上に向けて温風を吹き出すことを特徴とする請求項１に記載のシステムバス。
【請求項３】
前記第２機能は手摺りの機能であって、
前記着脱部材は、ユーザに把持されるパイプ状部と、該パイプ状部の両端に備えられた取付部とを含み、
前記取付部が、前記第１保持手段又は第２保持手段で保持されることを特徴とする請求項１又は２に記載のシステムバス。
【発明の詳細な説明】
【技術分野】
【０００１】
本発明は、浴室乾燥機及び衣類乾燥用のハンガーパイプを備えた家庭用のシステムバスに関する。
【背景技術】
【０００２】
近年の家庭用システムバスにおいては、浴室内の暖房と、浴室内での衣類の乾燥を目的として、浴室乾燥機が付設される場合が多くなっている。浴室乾燥機は、浴室内に温風を吹き付けるものであって、洗い場に居るユーザに暖気を提供することを想定して、その風向は洗い場に向かうように設定されている。衣類の乾燥を行う際、ユーザは、衣類を掛けたハンガーを浴室内に架設されたハンガーパイプに吊支させる。このハンガーパイプは、温風の吹き出し開口の近傍に配置されている。通常、温風の吹き出し開口は浴槽の上部の天井面に配置されており、ハンガーパイプは前記開口の直下位置に架設されている。
【０００３】
このようなシステムバスにおいて、衣類の乾燥性、取り扱い性を向上させるための様々な工夫が提案されている。特許文献１には、ハンガーパイプに吊るハンガーの角度を温風の風向きに応じて調整できる構造が提案されている。また、特許文献２には、ハンガーパイプの架設位置を、乾燥機に近づくにつれて下方に位置させることで、衣類に温風が良く吹き当たるようにした構成が開示されている。さらに、特許文献３には、ハンガーパイプを温風の吹き出し開口の直下（浴槽の直上）から洗い場までスライド移動させることが可能なガイドレールを配置する構成が提案されている。
【先行技術文献】
【特許文献】
【０００４】
【特許文献１】特開２００３−１８１１９５号公報
【特許文献２】特開２０００−１６７２９６号公報
【特許文献３】特開２００６−２８０５８７号公報
【発明の概要】
【発明が解決しようとする課題】
【０００５】
上述の通り、浴室乾燥機の温風吹き出し方向は、洗い場に配向されている。このため、温風に直接衣類を曝すという観点からは、衣類の配置位置としては洗い場の上方空間が望ましいと言える。しかしながら、洗い場付近の側壁面には照明、ドア或いは鏡等が配置されており、ハンガーパイプを常設するのは困難である。仮にハンガーパイプを配置できたとしても、入浴時にユーザに窮屈感を与えてしまう懸念がある。従って、洗い場付近は、衣類乾燥時にはデッドスペースになっているのが現状である。
【０００６】
なお、上記特許文献１には、洗い場付近のスペースの活用について特段言及されていない。また、特許文献２に構成では、ハンガーパイプが浴室内空間の下方位置に配置されるハンガーパイプが存在してしまう構成であり、ユーザに圧迫感を与えてしまう。さらに、特許文献３の構成では、ガイドレールが浴室ドアの開閉を妨げることが想定され、望ましくない。
【０００７】
本発明は上記の事情に鑑みて為されたものであって、浴室乾燥機及び衣類乾燥用のハンガーパイプを備えた家庭用のシステムバスにおいて、ユーザに窮屈感を与えることなく、洗い場の上方空間を活用して、衣類等の乾燥効率を向上させることを目的とする。
【課題を解決するための手段】
【０００８】
本発明の一局面に係るシステムバスは、浴槽と、洗い場として使用される床面と、前記浴槽及び前記床面の周囲を囲む側壁面と、前記側壁面で囲まれた空間の上部を覆う天井面とを備える浴室と、前記天井面に設けられた開口から温風を前記浴室内に吹き出す浴室乾燥機と、前記浴室の上部であって前記開口の近傍の第１乾燥位置に固定的に配置され、被服ハンガーを支持可能なハンガーパイプと、前記第１乾燥位置とは異なる第２乾燥位置において着脱自在に配置され、被服ハンガーを支持する第１機能と、該第１機能以外の第２機能とのために用いられる着脱部材と、前記着脱部材を前記第２乾燥位置に着脱自在に配置するために、前記側壁面若しくは前記天井面に設けられる第１保持手段と、前記着脱部材を前記第２機能のために適した位置に着脱自在に配置するために、前記浴室のいずれかの箇所に設けられる第２保持手段と、を備えることを特徴とする（請求項１）。
【０００９】
この構成によれば、被服ハンガーを支持する第１機能と、該第１機能以外の第２機能とのために用いられる着脱部材を備え、この着脱部材は、第１保持手段又は第２保持手段に対して着脱自在である。従って、例えば、ユーザの入浴時には、着脱部材を第２保持手段に保持させて第２機能を発揮させ、衣服類の乾燥時には、着脱部材を第１保持手段に保持させて被服ハンガーを支持する第１機能を発揮させることが可能となる。このため、ユーザは、入浴時には圧迫感を感じない位置（第２機能を発揮させる位置）に着脱部材を配置し、乾燥時には温風が良く吹き当たる位置に着脱部材を配置するという利用形態を取ることができる。
【００１０】
上記構成において、前記天井面の開口は前記浴槽の上方位置に設けられ、前記第１乾燥位置は前記浴槽の上部空間であり、前記第２乾燥位置は前記床面の上部空間であって、前記浴室乾燥機は、前記床面上に向けて温風を吹き出すことが望ましい（請求項２）。
【００１１】
この構成によれば、第２乾燥位置としての前記床面の上部空間を、乾燥時にデッドスペースとすることなく、有効に活用して多量の衣服類を効率的に乾燥させることができる。他方で、入浴時には着脱部材を第２保持手段に保持させることで、ユーザにとって邪魔にならない箇所に移設することができる利点がある。
【００１２】
上記構成において、前記第２機能は手摺りの機能であって、前記着脱部材は、ユーザに把持されるパイプ状部と、該パイプ状部の両端に備えられた取付部とを含み、前記取付部が、前記第１保持手段又は第２保持手段で保持される構成とすることができる（請求項３）。
【００１３】
この構成によれば、入浴時には手摺りとしての機能を果たす部材を、乾燥時にはハンガーパイプの機能を果たす部材として転用することが出来る。殊に、手摺りのパイプ状部は、ハンガーパイプに好適に転用することができる利点がある。
【発明の効果】
【００１４】
本発明によれば、浴室内の衣服類の乾燥に適した箇所に、ハンガーパイプの機能を果たし得る着脱部位材を、一時的に配置することができる。このため、衣服類の乾燥を効率的に行うことができ省エネ効果が期待できると共に、浴室で乾燥させることができる衣服類の量を増やすことができる。他方で、入浴時には着脱部材を邪魔にならない位置、換言すると本来の機能を果たす位置に退避させることができるので、ユーザに窮屈感を与えることがない。
【図面の簡単な説明】
【００１５】
【図１】本発明の実施形態に係るシステムバスの構造（浴槽側）を概略的に示す一点透視図である。
【図２】システムバスの構造（洗い場側）を概略的に示す一点透視図である。
【図３】システムバスの断面図である。
【図４】システムバスが入浴用に使用されている態様を模式的に示す上面図である。
【図５】システムバスが乾燥用に使用されている態様を模式的に示す上面図である。
【図６】手摺りをハンガーパイプとして用いる例を模式的に示す図である。
【図７】衣服の干し位置と乾燥度との関係を示すグラフである。
【発明を実施するための形態】
【００１６】
以下、図面に基づいて、本発明の実施形態につき詳細に説明する。図１及び図２は、本発明の実施形態に係るシステムバスＳの構造を概略的に示す一点透視図であり、図１は浴槽側を示し、図２は洗い場側をそれぞれ示している。また、図３は、システムバスＳの断面図である。システムバスＳは、浴室暖房・乾燥機能を備えたシステムバスであって、浴室１、浴室乾燥機２、ハンガーパイプ３、３つの手摺り４１、４２、４３（着脱部材）及びフック５（第１保持手段）を含む。
【００１７】
浴室１は、湯が張られる浴槽１１と、洗い場として使用される床面１２と、浴槽１１及び床面１２の周囲を囲む側壁面１３と、側壁面１３で囲まれた空間の上部を覆う天井面１４とを備える。側壁面１３は、奥壁面１３１、左壁面１３２、右壁面１３３及び前壁面１３４からなる。浴槽１１は奥壁面１３１の側に配置され（図１）、洗い場の床面１２は前壁面１３４の側に配置されている（図２）。
【００１８】
左壁面１３２には、物置台やテーブルを備えた鏡ユニット１５、浴室１内を照らす照明具１６、及びシャワー具１７等が取り付けられている。また、前壁面１３４には、ユーザが出入りするためのドア１８が取り付けられている。さらに、天井面１４には、浴室乾燥機２が生成する温風を浴室１内へ吹き出させるための開口１４１が設けられている。この開口１４１は、浴槽１１の上方位置に対応する天井面１４に配置されている。
【００１９】
浴室乾燥機２は、浴室１内の乾燥及び暖房を行う天井ビルトインタイプのものであって、電気ヒータ若しくは温水等の熱源と、該熱源を通過する空気流を生成し温風を発生させるファンとを備える。天井面１４の開口１４１には風向調整板２１が嵌め込まれており、浴室乾燥機２が発生する温風は、この風向調整板２１を通して浴室内に導入される。風向調整板２１によって、浴室乾燥機２の温風は、図３に矢印で示す通り、洗い場の床面１２上に向かうように調整されている。
【００２０】
ハンガーパイプ３は、被服ハンガーを支持可能な長尺のパイプであって、浴室１の上部空間（第１乾燥位置）であって開口１４１の近傍に固定的に配置されている。本実施形態ではハンガーパイプ３として、奥壁面１３１側の第１ハンガーパイプ３１と、これよりも前壁面１３４寄りの第２ハンガーパイプ３２とが、開口１４１の直下位置に平行に架設されている例を示している。第１、第２ハンガーパイプ３１、３２は、その片端が左壁面１３２で、他端が右壁面１３３で、各々ビス止め等の手段によって固定的に支持されている。これらハンガーパイプ３１、３２には、浴室１が衣服類の乾燥用として利用される場合に、衣服類が掛けられた被服ハンガーのフック部分が引っ掛けられる。
【００２１】
本実施形態では、ユーザの便宜のために、側壁面１３に第１手摺り４１、第２手摺り４２及び第３手摺り４３が備えられている。これら手摺り４１、４２、４３は、浴槽１１への着座、浴槽１１への出入り、及び浴室１内への出入りの際等に、ユーザに把持されることが予定されたパイプ状の部材であり、ユーザの移動動作を補助する機能（第２機能）を発揮する。各手摺り４１、４２、４３は、上記のパイプ状部と、該パイプ状部の両端に連接された湾曲部と、該湾曲部の端縁に備えられた装着部（図略）とを備える。
【００２２】
第１手摺り４１は、奥壁面１３１における浴槽１１のやや上方に水平方向に取り付けられ、ユーザが浴槽１１内に着座する際、若しくは入浴状態から立ち上がる際に専ら利用される。第２手摺り４２は、左壁面１３２における浴槽１１と鏡ユニット１５との間に垂直方向に取り付けられ、ユーザが床面１２から立ち上がる際、浴槽１１から出る際に専ら利用される。第３手摺り４３は、前壁面１３４におけるドア１８に隣接する位置に垂直方向に取り付けられ、ユーザが浴室１内へ入る際、若しくはドア１８を開ける際に専ら利用される。
【００２３】
これら手摺り４１、４２、４３は、各壁面１３１、１３２、１３４に設けられている保持部（第２保持手段）において、着脱自在に保持されている。具体的には、奥壁面１３１には第１保持部１３１Ａ、１３１Ａが備えられ、第１手摺り４１の両端縁に備えられている前記装着部が、この第１保持部１３１Ａ、１３１Ａに着脱自在に装着されている。この装着態様については特に限定はなく、容易に取り付け及びロック、ロック解除及び取り外しが実行できる汎用の装着構造を採用することができる。例えば、付勢されたロック爪及びロックレバーを第１手摺り４１の装着部に具備させ、第１保持部１３１Ａ、１３１Ａには前記装着部を受容する孔と、前記ロック爪が係合する溝を設ける構成を採用することができる。
【００２４】
同様に、左壁面１３２には第２保持部１３２Ａ、１３２Ａが備えられ、第２手摺り４２の両端縁に備えられている装着部が、この第２保持部１３２Ａ、１３２Ａに着脱自在に装着されている。また、前壁面１３４には第３保持部１３４Ａ、１３４Ａが備えられ、第３手摺り４３の両端縁に備えられている装着部が、この第３保持部１３４Ａ、１３４Ａに着脱自在に装着されている。
【００２５】
これら３つの手摺り４１、４２、４３は、ユーザの入浴時には、各保持部１３１Ａ、１３２Ａ、１３４Ａに装着された状態（第２機能のために適した位置に配置された状態）とされる。一方、衣服類の乾燥時には、手摺り４１、４２、４３は、各保持部１３１Ａ、１３２Ａ、１３４Ａから取り外され、床面１２の上部空間（第２乾燥位置）に配置される。この際、天井面１４に設置されたフック５が利用される。フック５は、床面１２に対向する天井面１４から下方に突設され、本実施形態では第１手摺り４１の長さに略等しい間隔を置いて配置された第１フック５１と第２フック５２とからなる。
【００２６】
図４は、システムバスＳが入浴用に使用されている態様を模式的に示す上面図である。この場合、この場合、浴室乾燥機２は、洗い場の床面１２に居るユーザＰに温風Ｗを送り、ユーザＰに暖感を提供することになる。このとき、３つの手摺り４１、４２、４３は、各保持部１３１Ａ、１３２Ａ、１３４Ａに装着されて、ユーザの利用に供される。一般に、この入浴時においては、ハンガーパイプ３に被服ハンガー等は吊持されない。
【００２７】
これに対し、図５は、システムバスＳが乾燥用に使用されている態様を模式的に示す上面図である。この場合、ハンガーパイプ３に衣服類が掛けられた複数の被服ハンガーＨが引っ掛けられ、浴室乾燥機２が発生する温風で、これらの衣服類が乾燥される。さらに、３つの手摺り４１、４２、４３が各保持部１３１Ａ、１３２Ａ、１３４Ａから取り外され、これら手摺り４１、４２、４３とフック５とを利用して、床面１２の上部空間に追加ハンガーパイプ４０が組み立てられる。そして、この追加ハンガーパイプ４０にも複数の被服ハンガーＨが引っ掛けられ、浴室乾燥機２の温風で乾燥される。
【００２８】
図６は、手摺り４１、４２、４３をハンガーパイプとして用いるときの組立態様を模式的に示す図である。ここでは、第２手摺り４２が第１フック５１から、第３手摺り４３が第２フック５２から垂下され、これら第２、第３手摺り４２、４３によって第１手摺り４１が水平状態で支持されている例を示している。この第１手摺り４１に、複数の被服ハンガーＨが引っ掛けられている。なお、本実施形態では、第２手摺り４２と第３手摺り４３とは、その長手方向の長さが同長に設定されている。
【００２９】
詳しくは、第１手摺り４１の両端部には、フック状又はループ状の第１取付部４１１及び第２取付部４１２が備えられている。これら取付部４１１、４１２は、第１保持部１３１Ａ、１３１Ａへ装着するための上記装着部の一部にフック状又はループ部分を形成したもの、前記装着部に係止金具やチェーン等を付設したもの等で構成することができる。同様に、第２手摺り４２の両端部には、第３取付部４２１及び第４取付部４２２が備えられている。また、第３手摺り４３の両端部には、第５取付部４３１及び第６取付部４３２が備えられている。
【００３０】
図６に示すように、第１手摺り４１の第１取付部４１１と、第２手摺り４２の第４取付部４２２とは、互いに着脱自在に係合する。同様に、第１手摺り４１の第２取付部４１２と、第３手摺り４３の第６取付部４３２とは、互いに着脱自在に係合している。また、第２手摺り４２の第３取付部４２１は、第１フック５１に引っ掛けられている。さらに、第３手摺り４３の第５取付部４３１は、第２フック５２に引っ掛けられている。これにより、第２、第３手摺り４２、４３を支柱部とし、第１手摺り４１がハンガーパイプとして利用される追加ハンガーパイプ４０が構成されている。
【００３１】
このように本実施形態によれば、システムバスＳを乾燥用に使用する場合に、浴槽１１上の空間（第１乾燥位置）に配置されたハンガーパイプ３だけでなく、床面１２の上方空間（第２乾燥位置）に配置され、手摺り４１、４２、４３を取り外して組み立てた追加ハンガーパイプ４０を用いて、衣服類の乾燥を行うことができる。すなわち、追加ハンガーパイプ用の部材を別途準備することなく既存の手摺り４１、４２、４３を活用して、床面１２の上部空間を乾燥時にデッドスペースとすることなく有効利用し、衣服類の乾燥を行わせることができる。
【００３２】
しかも、浴室乾燥機２の温風は洗い場である床面１２に向けて吹き出されることから、追加ハンガーパイプ４０に吊持される被服ハンガーＨの衣服類は、温風が吹き当たり易く、乾燥には有利である。図７は、衣服類の干し位置と乾燥度との関係を示すグラフである。このグラフは、外気温が７．０℃、湿度が５７％の条件下で、第１ハンガーパイプ３１、第２ハンガーパイプ３２及び追加ハンガーパイプ４０に各々掛けられた被服ハンガーＨの衣服の乾燥スピードを調べたグラフである。
【００３３】
図７において、曲線３１Ａは第１ハンガーパイプ３１に、曲線３２Ａは第２ハンガーパイプ３２に、また曲線４０Ａは追加ハンガーパイプ４０にそれぞれ吊られた被服ハンガーＨの衣服の乾燥度を示している。このグラフからも明らかな通り、追加ハンガーパイプ４０に吊られた被服ハンガーＨの衣服が最も早く乾燥しており、追加ハンガーパイプ４０を設置することの有用性が確認された。
【００３４】
従って、ユーザは、追加ハンガーパイプ４０を組み立てて、この追加ハンガーパイプ４０を優先的に利用して衣服類を乾燥させれば、乾燥時間を短縮させることができる。また、乾燥時間の短縮を求めない場合にあっても、追加ハンガーパイプ４０の組み立てにより、浴室１内に干す衣服類の量を増やすことができ、一度に多量の衣服類を乾燥させることができるという利点がある。さらに、入浴時は、追加ハンガーパイプ４０は解体されて手摺り４１、４２、４３として各々の位置に装着されるので、入浴中のユーザに窮屈感を与えることもない。
【００３５】
以上、本発明の好ましい一実施形態を説明したが、本発明は上述の実施形態に限定されるものではなく、例えば次のような変形実施形態を取ることができる。
【００３６】
（１）上記実施形態では、３つの手摺り４１、４２、４３を、側面視で略Ｕ字型に組立て、天井面１４のフック５で吊止する態様で追加ハンガーパイプ４０が構成される例を示した。このような、２本の手摺り４２、４３を支持用に用いる態様に代えて、例えば第１手摺り４１の両端に比較的長い取付部を設け、これをフック５に引っ掛けるようにしても良い。
【００３７】
（２）上記実施形態では、着脱部材として、３つの手摺り４１、４２、４３が用いられる態様を例示した。手摺り以外の部材を着脱部材として活用することは可能であり、例えば、鏡ユニット１５やドア１０のフレームの一部を着脱自在とし、これを追加ハンガーパイプ用の部材として用いるようにしても良い。
【００３８】
（３）上記実施形態では、床面１２の上部空間に追加ハンガーパイプを設置するために、床面１２に対向する天井面１４にフック５を設ける例を示した。これに代えて、左壁面１３２及び右壁面１３３からフックに相当する部材を突設させるようにしても良い。この場合、３つの手摺り４１、４２、４３を互いに直線状に連結可能とし、その連結体の両端部を、左壁面１３２及び右壁面１３３に設けたフック等で支持されるようにすることもできる。
【００３９】
（４）上記実施形態では、浴室乾燥機２として、天井へのビルトインタイプを例示したが、壁掛けタイプの浴室乾燥機を用いることもできる。
【符号の説明】
【００４０】
１  浴室
１１  浴槽
１２  床面
１３  側壁面
１３１Ａ、１３２Ａ、１３４Ａ  保持部（第２保持手段）
１４  天井面
２  浴室乾燥機
３  ハンガーパイプ
４０  追加ハンガーパイプ
４１、４２、４３  手摺り（着脱部材）
５  フック（第１保持手段）
Ｈ  被服ハンガー
Ｐ  ユーザ
Ｓ  システムバス
Ｗ  温風
【図１】
2012026634.tif 000003
【図２】
2012026634.tif 000004
【図３】
2012026634.tif 000005
【図４】
2012026634.tif 000006
【図５】
2012026634.tif 000007
【図６】
2012026634.tif 000008
【図７】
2012026634.tif 000009